(57)【要約】      （修正有）【課題】遊技機の盤面上で放射方向に往復移動可能な複数の可動装飾部材に駆動源の動力を均一に伝達することで、各可動装飾片の往復移動動作のバラつきを抑えることが可能な演出用役物装置を提供する。【解決手段】演出用役物装置９は、可動装飾片２５ａ、可動装飾片２５ｂ、及び可動装飾片２５ｃを有し、これら可動装飾片２５ａ、可動装飾片２５ｂ、及び可動装飾片２５ｃを初期位置である第１の位置とこの第１の位置から放射方向に移動した第２の位置との間で往復移動可能な第２の往復移動機構１０を備え、上記第２の往復移動機構１０が可動装飾片２５ａ、可動装飾片２５ｂ、及び可動装飾片２５ｃのそれぞれを同期させて往復移動可能に支持するリンク部材１５を有して構成されている。【選択図】図５
2012024190.tif 000002
【特許請求の範囲】
【請求項１】
遊技盤の盤面上に設けられた演出用役物装置であって、
複数の可動装飾片を有し、複数の前記可動装飾片を初期位置である第１の位置とこの第１の位置から放射方向に移動した第２の位置との間で往復移動可能な往復移動機構を備え、
前記往復移動機構は、複数の前記可動装飾片のそれぞれを同期させて往復移動可能に支持するリンク部材を有すること、
を特徴とする演出用役物装置。
【請求項２】
前記リンク部材は、このリンク部材を構成する板状の基部に複数の前記可動装飾片のそれぞれを摺動可能に支持する支持孔を有すること、
を特徴とする請求項１記載の演出用役物装置。
【請求項３】
前記支持孔は、前記基部の面上に円弧状をなして形成されたこと、
を特徴とする請求項２記載の演出用役物装置。
【請求項４】
複数の前記可動装飾片を構成する装飾部は、前記遊技盤の盤面上で往復移動可能に設けられたこと、
を特徴とする請求項１から３の何れか１項に記載の演出用役物装置。
【請求項５】
前記装飾部は、複数の前記装飾片の往復移動動作と異なるタイミングで前記遊技盤の盤面上で往復移動可能に設けられたこと、
を特徴とする請求項４記載の演出用役物装置。
【発明の詳細な説明】
【技術分野】
【０００１】
本発明は、遊技機の遊技盤に設けられ、遊技を演出するための演出用役物装置に関する。
【背景技術】
【０００２】
従来、遊技機の遊技盤面には、演出用役物と称される装飾部材を備えた演出用役物装置が配置されている。この演出用役物装置には、例えば、装飾部材を構成する複数の可動装飾片を離接可能に設け、遊技状況に応じて可動装飾片を離したり、近づけたりすることで、遊技性を向上させるものが知られている。
【０００３】
このような遊技性を高めるものとして、例えば、特許文献１には、装飾体が主装飾部材と、この主装飾部材の外周に配置され、主装飾部材から放射方向に往復移動可能な可動装飾部材と、を備え、遊技状況に応じて、可動装飾部材が遊技盤の盤面上を往復移動することで、遊技性を向上させる装飾体ユニット、遊技盤、及びパチンコ遊技機が開示されている。
【先行技術文献】
【特許文献】
【０００４】
【特許文献１】特開２０１０−０２２４３３号公報
【発明の概要】
【発明が解決しようとする課題】
【０００５】
ところで、上記特許文献１は、主装飾部材の外周に配された複数の可動装飾部材の往復移動動作をそれぞれの駆動機構により可能にしている。すなわち、上記特許文献１は、各可動装飾部材の往復移動動作を同期させるものではない。このため、各可動装飾部材の往復移動動作にバラつきが生じてしまう可能性があるという技術的課題がある。
【０００６】
本発明の目的は、上記従来の実状を鑑みて、遊技機の盤面上で放射方向に往復移動可能な複数の可動装飾部材に駆動源の動力を均一に伝達することで、各可動装飾片の往復移動動作のバラつきを抑えることが可能な演出用役物装置を提供することにある。
【課題を解決するための手段】
【０００７】
上記課題を解決するために、本発明に係る演出用役物装置は、複数の可動装飾片を有し、複数の上記可動装飾片を初期位置である第１の位置とこの第１の位置から放射方向に移動した第２の位置との間で往復移動可能な往復移動機構を備え、上記往復移動機構が複数の上記可動装飾片のそれぞれを同期させて往復移動可能に支持するリンク部材を有して構成されている。
【０００８】
また、上記課題を解決するために、本発明に係る演出用役物装置の上記リンク部材は、このリンク部材を構成する板状の基部に複数の上記可動装飾片のそれぞれを摺動可能に支持する支持孔を有して構成されている。
【０００９】
また、上記課題を解決するために、本発明に係る演出用役物装置の上記支持孔は、上記基部の面上に円弧状をなして形成されている。
【００１０】
また、上記課題を解決するために、本発明に係る演出用役物装置の複数の上記可動装飾片を構成する装飾部は、上記遊技盤の盤面上で往復移動可能に設けられている。
【００１１】
また、上記課題を解決するために、本発明に係る演出用役物装置の上記装飾部は、複数の上記装飾片の往復移動動作と異なるタイミングで上記遊技盤の盤面上で往復移動可能に設けられている。
【発明の効果】
【００１２】
本発明によれば、遊技機の盤面上で放射方向に往復移動可能な複数の可動装飾片に駆動源の動力を均一に伝達することで、各可動装飾片の往復移動動作のバラつきを抑えることができる。
【図面の簡単な説明】
【００１３】
【図１Ａ】本発明の一実施の形態である演出用役物装置を備えた遊技盤における演出用役物装置の第１の状態の構成を模式的に示す正面図である。
【図１Ｂ】本発明の一実施の形態である演出用役物装置を備えた遊技盤における演出用役物装置の第２の状態の構成を模式的に示す正面図である。
【図１Ｃ】本発明の一実施の形態である演出用役物装置を備えた遊技盤における演出用役物装置の第３の状態の構成を模式的に示す正面図である。
【図２Ａ】本発明の一実施の形態である演出用役物装置の第１の状態を模式的に示す正面図である。
【図２Ｂ】本発明の一実施の形態である演出用役物装置の第２の状態を模式的に示す正面図である。
【図３Ａ】本発明の一実施の形態である演出用役物装置の第１の往復動機構の第１の状態における内部構成を正面から模式的に示す正面図である。
【図３Ｂ】本発明の一実施の形態である演出用役物装置の第１の往復動機構の第２の状態における内部構成を正面から模式的に示す正面図である。
【図４Ａ】本発明の一実施の形態である演出用役物装置の第１の往復動機構の第１の状態における内部構成を背面から模式的に示す背面図である。
【図４Ｂ】本発明の一実施の形態である演出用役物装置の第１の往復動機構の第２の状態における内部構成を背面から模式的に示す背面図である。
【図５】本発明の一実施の形態である演出用役物装置の第２の往復移動機構の内部構成を分解して模式的に示す分解斜視図である。
【図６Ａ】本発明の一実施の形態である演出用役物装置の第２の往復移動機構の第１及び第２の状態を正面から模式的に示す正面図である。
【図６Ｂ】本発明の一実施の形態である演出用役物装置の第２の往復移動機構の第３の状態を正面から模式的に示す正面図である。
【図７Ａ】本発明の一実施の形態である演出用役物装置の第２の往復移動機構の第１及び第２の状態を背面から模式的に示す背面図である。
【図７Ｂ】本発明の一実施の形態である演出用役物装置の第２の往復移動機構の第３の状態を背面から模式的に示す背面図である。
【発明を実施するための形態】
【００１４】
以下、図面を参照しながら、本発明の実施の形態について詳細に説明する。なお、遊技機には、例えば、パチンコ遊技機、アレンジボール機又は雀球遊技機等があるが、本発明の実施の形態１では、一例として、パチンコ遊技機に基づいて説明する。
【００１５】
まず、本発明の一実施の形態である遊技機の遊技盤１００に係る構成について図１Ａ、図１Ｂ及び図１Ｃを用いて説明する。図１Ａは、本発明の一実施の形態である演出用役物装置９を備えた遊技盤１００における演出用役物装置９の第１の状態の構成を模式的に示す正面図であり、図１Ｂは、本発明の一実施の形態である演出用役物装置９を備えた遊技盤１００における演出用役物装置９の第２の状態の構成を模式的に示す正面図であり、図１Ｃは、本発明の一実施の形態である演出用役物装置９を備えた遊技盤１００における演出用役物装置９の第３の状態の構成を模式的に示す正面図である。
【００１６】
図１Ａ、図１Ｂ及び図１Ｃに例示されるように、本実施の形態において、遊技機は、入賞装置、風車、障害釘等の遊技部品が配置された遊技領域１０１を有する遊技盤１００を備えて構成されている。
【００１７】
遊技盤１００は、遊技機を遊技場に設置する際、設置面に対して略垂直に立設するようにして図示しない遊技盤保持枠に固定されている。すなわち、遊技盤１００の表面（以下、遊技面１０２という。）は、図示しない透過部材を介して遊技者に対面するように配置されている。
【００１８】
この遊技盤１００は、木材等を用いて平板状に形成され、上述したように、遊技面１０２に入賞装置、風車、障害釘等の遊技部品を配設してなる遊技領域１０１を有して構成されている。
【００１９】
遊技面１０２には、図示しない発射装置により発射された遊技球を遊技領域１０１に案内する役目を果たし、遊技領域１０１を囲うように、遊技面１０２に対して垂直に起立して配置された帯状の外ガイドレール１０３が設けられている。
【００２０】
外ガイドレール１０３は、遊技面１０２を正面視すると左側下方から右側上方にかけて遊技領域１０１を囲うように配置されている。具体的には、外ガイドレール１０３の一端１０３ａが、遊技面１０２を正面視すると左側下方に配置され、他端１０３ｂが、遊技面１０２の右側上方に配置されている。そして、外ガイドレール１０３は、外ガイドレール１０３を可撓させて一端１０３ａから他端１０３ｂまで円弧を描くように湾曲して配置されている。
【００２１】
本実施の形態において、外ガイドレール１０３の材質は、プラスチック製素材を用いて形成されている。なお、外ガイドレール１０３の材質は、プラスチック製素材に限定されず、例えば、金属性素材等を用いて形成しても良い。
【００２２】
外ガイドレール１０３の他端１０３ｂの近傍には、遊技面１０２を飾りつける飾り部材１０４が配置されている。この飾り部材１０４は、遊技面１０２を正面視すると上方から下方に向かって遊技面１０２に対して垂直に起立する起立面１０４ａを有して構成されている。
【００２３】
飾り部材１０４の起立面１０４ａは、この起立面１０４ａの上方に位置する外ガイドレール１０３の他端１０３ｂに連設して配置されている。そして、飾り部材１０４の起立面１０４ａの高さは、外ガイドレール１０３の起立高さと同じ高さで形成されている。すなわち、飾り部材１０４の起立面１０４ａは、外ガイドレール１０３と同様に、遊技領域１０１を囲うように配置されている。
【００２４】
飾り部材１０４の下方には、遊技状況を表示する表示装置１０５が配置されている。表示装置１０５は、遊技面１０２から突出して配置されており、遊技面１０２を正面視すると右側から中心側に向けて下方に傾斜させた直線状の傾斜面１０６を有して構成されている。
【００２５】
表示装置１０５の傾斜面１０６は、この傾斜面１０６の他端１０６ａが、遊技面１０２を正面視すると傾斜面１０６の右側に位置する表示装置１０５の飾り部材１０４の図示しない他端に連設して配置されている。
【００２６】
一方、傾斜面１０６の一端１０６ｂが、後述する内ガイドレール１０７の一端１０７ａに連接して配置されている。そして、傾斜面１０６の高さは、起立面１０４ａの起立高さと同じ高さで形成されている。すなわち、傾斜面１０６は、起立面１０４ａと同様に、遊技領域１０１を囲うように配置されている。
【００２７】
なお、本実施の形態において、表示装置１０５の位置については、遊技面１０２を正面視すると右側下方に配置されているが、この位置に限定されず、例えば、中央下方等に配置しても良い。この場合、表示装置１０５の傾斜面１０６の代わりに、第２の飾り部材を設け、この第２の飾り部材は、表示装置１０５と同様に、傾斜面を有して構成されている。
【００２８】
また、遊技面１０２には、外ガイドレール１０３と共に、図示しない発射装置により発射された遊技球を遊技領域１０１に案内する役目を果たし、外ガイドレール１０３と同様に、遊技領域１０１を囲うように、遊技面１０２に対して垂直に起立して配置された帯状の内ガイドレール１０７が設けられている。
【００２９】
本実施の形態において、内ガイドレール１０７の材質も、内ガイドレール１０７の材質と同様に、プラスチック製素材を用いて形成されている。なお、内ガイドレール１０７の材質も、プラスチック製素材に限定されず、例えば、金属性素材等を用いて形成しても良い。
【００３０】
内ガイドレール１０７は、遊技面１０２を正面視すると、外ガイドレール１０３の内側に配置され、中央下方から左側上方にかけて遊技領域１０１を囲うように配置されている。具体的には、内ガイドレール１０７の一端１０７ａが、遊技面１０２を正面視すると中央下方に配置され、他端１０７ｂが遊技面１０２の左側上方に配置されている。そして、内ガイドレール１０７は、内ガイドレール１０７を可撓させて一端１０７ａから他端１０７ｂまで円弧を描くように湾曲して配置されている。
【００３１】
内ガイドレール１０７は、上述したように、内ガイドレール１０７の一端１０７ａが、遊技面１０２を正面視すると中央下方に配置されているが、この一端１０７ａは、遊技面１０２の軸よりも右側に配置されており、一端１０７ａから遊技面１０２の軸に向かって下方に傾斜しながら時計回り方向に緩やかに湾曲して配置されている。
【００３２】
すなわち、内ガイドレール１０７は、遊技面１０２の軸上において、最も下方に位置すると共に、この位置から他端１０７ｂに向かって上方に傾斜しながら時計回り方向に緩やかに湾曲して配置されている。
【００３３】
このように、外ガイドレール１０３の内側に内ガイドレール１０７が配置され、これら外ガイドレール１０３及び内ガイドレール１０７は、所定の間隔を保って互いに対向して配置されている。そして、外ガイドレール１０３及び内ガイドレール１０７の間には、遊技球が通過可能なガイド通路１０８が区画されている。
【００３４】
ガイド通路１０８は、上述したように、外ガイドレール１０３及び内ガイドレール１０７の間に区画されている。そして、ガイド通路１０８は、図示しない接続通路を介して図示しない発射装置に連接されている。
【００３５】
すなわち、ガイド通路１０８は、発射装置により発射された遊技球が接続通路を通過した後、ガイド通路１０８を通過することで、遊技球が遊技面１０２の左側下方から左側上方に向かって飛び出すように区画されている。
【００３６】
このように、遊技面１０２には、外ガイドレール１０３、飾り部材１０４、表示装置１０５、内ガイドレール１０７が連続して、互いに連接して配置されることで、ガイド通路１０８及び遊技領域１０１が隣接した状態で囲繞形成されている。
【００３７】
遊技領域１０１には、遊技の演出を行う演出装置が配置されている。具体的には、遊技領域１０１の中央部分には、液晶表示器（ＬＣＤ）等からなる図示しない液晶表示装置が配置されている。
【００３８】
そして、液晶表示装置の周辺には、液晶表示装置を囲うように複数の演出用役物装置が配設されている。本実施の形態において、これら複数の演出用役物装置のうち、液晶表示装置の上方に配設された演出用役物装置９は、装飾部２５を初期位置である第１の高さ位置、すなわち第１の状態と、第１の高さ位置から下方に移動した第２の高さ位置、すなわち第２の状態との間での往復移動を可能にする第１の往復動機構１１０を備えて構成されている。
【００３９】
また、演出用役物装置９は、第２の高さ位置において、装飾部２５を構成する複数の可動装飾片２５ａ、可動装飾片２５ｂ及び可動装飾片２５ｃを初期位置である第１の位置、すなわち、第２の状態と、第１の位置から放射方向に移動した第２の位置、すなわち第３の状態との間での往復移動を可能にする第２の往復移動機構１０を備えて構成されている。
【００４０】
以下、本実施の形態の演出用役物装置９の構成について説明する。まず、演出用役物装置９の装飾部２５を第１の状態と第２の状態との間での往復移動を可能にする第１の往復動機構１１０について、図２Ａ、図２Ｂ、図３Ａ、図３Ｂ、図４Ａ及び図４Ｂを用いて説明する。
【００４１】
図２Ａは、本発明の一実施の形態である演出用役物装置９の第１の状態を模式的に示す正面図であり、図２Ｂは、本発明の一実施の形態である演出用役物装置９の第２の状態を模式的に示す正面図である。
【００４２】
また、図３Ａは、本発明の一実施の形態である演出用役物装置９の第１の往復動機構１１０の第１の状態における内部構成を正面から模式的に示す正面図であり、図３Ｂは、本発明の一実施の形態である演出用役物装置９の第１の往復動機構１１０の第２の状態における内部構成を正面から模式的に示す正面図である。
【００４３】
また、図４Ａは、本発明の一実施の形態である演出用役物装置９の第１の往復動機構１１０の第１の状態における内部構成を背面から模式的に示す背面図であり、図４Ｂは、本発明の一実施の形態である演出用役物装置９の第１の往復動機構１１０の第２の状態における内部構成を背面から模式的に示す背面図である。
【００４４】
図２Ａ、図２Ｂ、図３Ａ、図３Ｂ、図４Ａ及び図４Ｂに例示されるように、本実施の形態の第１の往復動機構１１０は、遊技盤１００の遊技面１０２に固定して配設された支持板１１１により支持されている。この支持板１１１は、この支持板１１１を正面視すると、左右方向を長手辺として略矩形状をなして形成されている。
【００４５】
この支持板１１１の右方には、第１の往復動機構１１０の駆動源としてのモータ１１２が配設されている。モータ１１２は、支持板１１１の背面側に配置され、支持板１１１に形成された図示しない孔にモータ１１２の駆動軸を背面側から正面側に突出させて設けられている。そして、この駆動軸には、小歯車１１３が設けられている。
【００４６】
この小歯車１１３の下方には、小歯車１１３に噛合して配置され、小歯車１１３の回転に連動して回転する第１の大歯車１１４が配設されている。このため、小歯車１１３は、モータ１１２の駆動力を第１の大歯車１１４に伝達可能にしている。
【００４７】
本実施の形態の第１の大歯車１１４は、小歯車１１３に噛合する噛合部に加えて、第１の大歯車１１４の外周の一部に配置され、リンク部材１１５の摺動孔に摺動可能に収容された摺動ローラを備えて構成されている。
【００４８】
リンク部材１１５は、支持板１１１の右方から中央に配設されている。そして、リンク部材１１５の一端が支持板１１１に回動可能に連結されている。一方、リンク部材１１５の他端が後述するプレート１２２に回動可能に連結されている。
【００４９】
また、リンク部材１１５は、上述したように、第１の大歯車１１４の摺動ローラを摺動可能に収容する摺動孔を備えて構成されている。すなわち、リンク部材１１５は、第１の大歯車１１４の回転に連動して一端を軸にして他端の往復移動を可能にしている。
【００５０】
また、リンク部材１５の他端には、このリンク部材１５の他端の往復移動に連動して、往復移動するプレート１２２が配設されている。このプレート１２２は、上下方向を長手辺として略矩形状をなして形成され、長手辺が遊技盤１００の上下方向に沿って配置されている。
【００５１】
プレート１２２は、支持板１１１に棒状部材１２３を介して往復移動可能に配設されている。すなわち、プレート１２２は、リンク部材１１５の他端の往復移動に連動して遊技盤１００の上下方向で往復移動可能に配設されている。
【００５２】
そして、プレート１２２には、支持板１１１に固定して配設された第１のラックギヤ１１６に噛合して配置され、プレート１２２の往復移動に起因して第１のラックギヤ１１６上を移動可能な第２の大歯車１１７と、第２の大歯車１１７に噛合して配置され、第２の大歯車１１７の回転に連動して回転する第３の大歯車１１８と、第３の大歯車１１８に噛合して配置され、第３の大歯車１１８の回転に連動して回転する第４の大歯車１１９とが配設されている。
【００５３】
すなわち、リンク部材１１５の往復移動に連動してプレート１２２が往復移動すると、プレート１２２に配設された第２の大歯車１１７が支持板１１１に固定された第１のラックギヤ１１６上を回転可能に配設されている。
【００５４】
そして、第２の大歯車１１７が回転することで、この第２の大歯車１１７に噛合して配設された第３の大歯車１１８が回転可能に配設されている。また、第３の大歯車１１８が回転することで、第３の大歯車１１８に噛合して配設された第４の大歯車１１９が回転可能に配設されている。
【００５５】
これら第２の大歯車１１７、第３の大歯車１１８及び第４の大歯車１１９を保持するプレート１２２には、このプレート１２２に固定して配設された棒状部材を介して往復移動可能な保持プレート１２１が配設されている。保持プレート１２１には、第２のラックギヤ１２０が固定して配設されている。
【００５６】
すなわち、第４の大歯車１１９の回転に連動して第２のラックギヤ１２０が往復移動可能に配設されるとともに、第２のラックギヤ１２０が固定された保持プレート１２１も往復移動可能に配設されている。
【００５７】
このように、リンク部材１１５の他端が往復移動することで、プレート１２２の往復移動を可能にしている。そして、プレート１２２に第１のラックギヤ１１６及び第２のラックギヤ１２０に噛合する第２の大歯車１１７、第３の大歯車１１８及び第４の大歯車１１９を設けることで、プレート１２２のスムーズな往復移動を可能にしている。
【００５８】
また、第２のラックギヤ１２０は、上述したように、保持プレート１２１に固定されている。すなわち、第２のラックギヤ１２０が往復移動することで、保持プレート１２１の往復移動を可能にしている。この保持プレート１２１には、装飾部２５の第２の状態と第３の状態との間での可動を可能にする第２の往復移動機構１０が設けられている。
【００５９】
次に、本実施の形態の演出用役物装置９の装飾部２５が第２の状態と第３の状態との間での往復移動を可能にする第２の往復移動機構１０について、図５、図６Ａ、図６Ｂ、図７Ａ及び図７Ｂを用いて説明する。
【００６０】
図５は、本発明の一実施の形態である演出用役物装置９の第２の往復移動機構１０の内部構成を分解して模式的に示す分解斜視図であり、図６Ａは、本発明の一実施の形態である演出用役物装置９の第２の往復移動機構１０の第１及び第２の状態を正面から模式的に示す正面図であり、図６Ｂは、本発明の一実施の形態である演出用役物装置９の第２の往復移動機構１０の第３の状態を正面から模式的に示す正面図である。
【００６１】
また、図７Ａは、本発明の一実施の形態である演出用役物装置９の第２の往復移動機構１０の第１及び第２の状態を背面から模式的に示す背面図であり、図７Ｂは、本発明の一実施の形態である演出用役物装置９の第２の往復移動機構１０の第３の状態を背面から模式的に示す背面図である。
【００６２】
図５、図６Ａ、図６Ｂ、図７Ａ及び図７Ｂに例示されるように、本実施の形態の演出用役物装置９の第２の往復移動機構１０は、可動装飾片２５ａ、可動装飾片２５ｂ及び可動装飾片２５ｃを有し、これら可動装飾片２５ａ、可動装飾片２５ｂ及び可動装飾片２５ｃを同期させて往復移動可能に支持するリンク部材１５を備えて構成されている。
【００６３】
本実施の形態の第２の往復移動機構１０は、駆動源としてのモータ１２と、このモータ１２の駆動軸に設けられた駆動歯車１３に噛合して配置され、駆動歯車１３の回転に連動して回転する歯車１４と、この歯車１４に噛合して配置され、歯車１４の回転に連動して回転するリンク部材１５とを備えて構成されている。そして、これら歯車１４及びリンク部材１５は、カム体１９により基板１１に回転可能に配設されている。
【００６４】
このように、モータ１２の駆動力が駆動歯車１３を介して歯車１４に伝達され、さらに、駆動歯車１３がモータ１２の駆動に起因して回転することで、歯車１４及びリンク部材１５の回転動作を可能にしている。
【００６５】
本実施の形態のリンク部材１５は、上述したように、歯車１４の回転に連動して回転することで、可動装飾片２５ａ、可動装飾片２５ｂ及び可動装飾片２５ｃを同期させて第１の位置と第２の位置との間で往復移動可能に支持するものである。
【００６６】
具体的には、リンク部材１５は、平板状をなして形成され、リンク部材１５を構成する基部と、この基部の外縁に配置され、歯車１４に噛合する噛合部１６とを備えて構成されている。
【００６７】
また、リンク部材１５は、歯車１４に噛合する噛合部１６に加えて、基部に形成され、後述するカム体１８ａ、カム体１８ｂ及びカム体１８ｃを摺動可能に支持する摺動孔１７ａ、摺動孔１７ｂ及び摺動孔１７ｃを備えて構成されている。
【００６８】
本実施の形態の摺動孔１７ａ、摺動孔１７ｂ及び摺動孔１７ｃは、リンク部材１５を平面視すると、円弧状をなして形成されている。また、摺動孔１７ａ、摺動孔１７ｂ及び摺動孔１７ｃに収容されたカム体１８ａ、カム体１８ｂ及びカム体１８ｃは、略楕円形状をなして形成され、放射方向に沿って配設されている。
【００６９】
このため、摺動孔１７ａ、摺動孔１７ｂ及び摺動孔１７ｃは、リンク部材１５の回転に連動して、カム体１８ａ、カム体１８ｂ及びカム体１８ｃの放射方向への往復移動を可能にしている。
【００７０】
カム体１８ａ、カム体１８ｂ及びカム体１８ｃには、装飾基部２２を挟んで、互いに対向して配置され、カム体１８ａ、カム体１８ｂ及びカム体１８ｃとともに、装飾基部２２に形成された摺動孔２３ａ、摺動孔２３ｂ及び摺動孔２３ｃ内を摺動可能なカム体２４ａ、カム体２４ｂ及び２４ｃが連結されている。
【００７１】
そして、これらカム体２４ａ、カム体２４ｂ及びカム体２４ｃには、可動装飾片２５ａ、可動装飾部２５ｂ及び可動装飾部２５ｃが連結されている。すなわち、カム体１８ａ、カム体１８ｂ及びカム体１８ｃがリンク部材１５の回転に連動して、放射方向に往復移動することで、可動装飾片２５ａ、可動装飾部２５ｂ及び可動装飾部２５ｃの放射方向への往復移動を可能にしている。
【００７２】
このように、本実施の形態の演出用役物装置９の第２の往復移動機構１０は、可動装飾片２５ａ、可動装飾部２５ｂ及び可動装飾部２５ｃの放射方向への往復動作を一つのリンク部材１５により可能にしているため、遊技盤１００の盤面上で放射方向に往復移動可能な可動装飾片２５ａ、可動装飾片２５ｂ及び可動装飾片２５ｃにモータ１２の動力を均一に伝達することが可能になる。
【００７３】
よって、本実施の形態に演出用役物装置９によれば、可動装飾片２５ａ、可動装飾片２５ｂ及び可動装飾片２５ｃの放射方向への往復移動動作のバラつきを抑えることができる。これにより、遊技性を高めることができる。
【００７４】
次に、本実施の形態の演出用役物装置９の動作について説明する。まず、演出用役物装置９の第１の往復動機構１１０の動作について、図２Ａ、図２Ｂ、図３Ａ、図３Ｂ、図４Ａ及び図４Ｂを用いて説明する。
【００７５】
図２Ａ、図２Ｂ、図３Ａ、図３Ｂ、図４Ａ及び図４Ｂに例示されるように、遊技状況に応じてモータ１１２が駆動する。モータ１１２の駆動により小歯車１１３が回転する。そして、小歯車１１３の回転に連動して第１の大歯車１１４が回転する。
【００７６】
これにより、第１の大歯車１１４の摺動ローラがリンク部材１１５の摺動孔内を往復移動することで、リンク部材１１５の他端が往復移動するとともに、プレート１２２が往復移動する。
【００７７】
このとき、プレート１２２に配設された第２の大歯車１１７が支持板１１１に固定して配設された第１のラックギヤ１１６上を回転しながら往復移動する。そして、第２の大歯車１１７の回転に連動して、この第２の大歯車１１７に噛合して配置された第３の大歯車１１８も回転する。
【００７８】
また、第３の大歯車１１８の回転に連動して第４の大歯車１１９が回転する。これにより、保持プレート１２１に固定して配設された第２のラックギヤ１２０が往復移動する。このように、プレート１２２に第１のラックギヤ１１６、第２の大歯車１１７及び第３の大歯車１１８を設けることで、プレート１２２のスムーズな往復移動を可能にしている。また、プレート１２２の往復移動に伴い、保持プレート１２１のスムーズな往復移動も可能にしている。
【００７９】
次に、演出用役物装置９の第２の往復移動機構１０の動作について、図６Ａ、図６Ｂ、図７Ａ及び図７Ｂを用いて説明する。
【００８０】
図６Ａ、図６Ｂ、図７Ａ及び図７Ｂに例示されるように、遊技状況に応じてモータ１２が駆動する。このモータ１２の駆動に起因して、モータ１２の駆動軸に設けられた駆動歯車１３が回転する。そして、駆動歯車１３の回転に連動して、駆動歯車１３に噛合して設けられた歯車１４が回転する。
【００８１】
この歯車１４の回転に連動して、リンク部材１５が回転する。リンク部材１５の回転に連動して、このリンク部材１５の摺動孔１７ａ、摺動孔１７ｂ、摺動孔１７ｃに設けられたカム体１８ａ、カム体１８ｂ、カム体１８ｃが移動する。
【００８２】
このとき、本実施の形態の摺動孔１７ａ、摺動孔１７ｂ、摺動孔１７ｃは、円弧状をなして形成されているため、カム体１８ａ、カム体１８ｂ、カム体１８ｃを放射方向に移送している。
【００８３】
カム体１８ａ、カム体１８ｂ、カム体１８ｃの放射方向への移送に伴い、これらカム体１８ａ、カム体１８ｂ、カム体１８ｃに連結された可動装飾片２５ａ、可動装飾片２５ｂ、可動装飾片２５ｃは、放射方向へ移動する。
【００８４】
このように、可動装飾片２５ａ、可動装飾片２５ｂ及び可動装飾片２５ｃの往復動作を一つのリンク部材１５により可能にしているため、これら可動装飾片２５ａ、可動装飾片２５ｂ及び可動装飾片２５ｃには、モータ１２の動力が均一に伝達されている。
【００８５】
したがって、本実施の形態の演出用役物装置９は、遊技機の盤面上で放射方向に往復移動可能な可動装飾片２５ａ、可動装飾片２５ｂ及び可動装飾片２５ｃにモータ１２の動力を均一に伝達することが可能になる。
【００８６】
よって、本実施の形態に演出用役物装置９によれば、可動装飾片２５ａ、可動装飾片２５ｂ及び可動装飾片２５ｃの往復移動動作のバラつきを抑えることができ、遊技性を向上させることができる。
【００８７】
また、本実施の形態の演出用役物装置９によれば、第１の往復動機構１１０と第２の往復移動機構１０とがそれぞれ異なるタイミングで可動するため、遊技盤１００の盤面上において、装飾部２５の往復移動動作と、可動装飾片２５ａ、可動装飾片２５ｂ及び可動装飾片２５ｃの放射方向への往復移動動作とが異なるタイミングで可動させることが可能になる。これにより、遊技性をさらに高めることができる。
【符号の説明】
【００８８】
９      演出用役物装置
１０      第２の往復移動機構
１１      基板
１２      モータ
１３      駆動歯車
１４      歯車
１５      リンク部材
１６      噛合部
１７      摺動孔
１８      カム体
１９      カム体
２０      基板
２１      切り込み
２２      装飾基部
２３      摺動孔
２４      カム体
２５      装飾部
２５ａ    可動装飾片
２５ｂ    可動装飾片
２５ｃ    可動装飾片
１００      遊技盤
１０１      遊技領域
１０２      遊技面
１０３      外ガイドレール
１０４      飾り部材
１０５      表示装置
１０６      傾斜面
１０７      内ガイドレール
１０８      ガイド通路
１１０      第１の往復動機構
１１１      支持板
１１２      モータ
１１３      小歯車
１１４      第１の大歯車
１１５      リンク部材
１１６      第１のラックギヤ
１１７      第２の大歯車
１１８      第３の大歯車
１１９      第４の大歯車
１２０      第２のラックギヤ
１２１      保持プレート
１２２      プレート
１２３      棒状部材
【図１Ａ】
2012024190.tif 000003
【図１Ｂ】
2012024190.tif 000004
【図１Ｃ】
2012024190.tif 000005
【図２Ａ】
2012024190.tif 000006
【図２Ｂ】
2012024190.tif 000007
【図３Ａ】
2012024190.tif 000008
【図３Ｂ】
2012024190.tif 000009
【図４Ａ】
2012024190.tif 000010
【図４Ｂ】
2012024190.tif 000011
【図５】
2012024190.tif 000012
【図６Ａ】
2012024190.tif 000013
【図６Ｂ】
2012024190.tif 000014
【図７Ａ】
2012024190.tif 000015
【図７Ｂ】
2012024190.tif 000016